(57)【特許請求の範囲】
【請求項１】
記憶手段と、効果音再生手段と、リモコン送信器と、操作パネルと、制御手段と、受信手段と、表示手段と、スピーカーを備え、カラオケ伴奏音楽と歌詞字幕をスピーカーと表示手段より同期出力するカラオケ装置であって、
記憶手段は、効果音データベースと、効果音索引と、キーアサインテーブルと、効果音キーシンボル情報を記憶し、
効果音データベースは、多数の効果音データにそれぞれ効果音ＩＤを対応付けて格納し、
効果音索引は、効果音ＩＤと効果音説明記述を対応付けし、
キーアサインテーブルは、少数の効果音キーＩＤのそれぞれに効果音ＩＤを対応付けし、
効果音キーシンボル情報は、各効果音キーＩＤにキーシンボル情報を対応付けし、
効果音再生手段は、制御手段の制御に従い、効果音データを再生してスピーカーから効果音を発生させ、
リモコン受信器は、各効果音キーＩＤにそれぞれ対応付けされたキーシンボルの付いた少数の効果音キーを含み、効果音キーが操作された際に該当する効果音キーＩＤを含むリモコン信号を送信し、
操作パネルは、利用者による操作入力を受け付け可能とし、
制御手段は、キーアサイン指示の操作入力を受け付けた際に登録モード処理を、効果音キーＩＤを含むリモコン信号を受信手段が受信した際に出力モード処理を行い、
登録モード処理は、効果音索引・キーアサインテーブル・効果音キーシンボル情報に基づいて、各キーシンボルと各効果音説明記述を表示手段に表示させ、１つの効果音キーに対応付けする１つの効果音説明記述を選択させる操作入力を受け付け、効果音説明記述を特定する操作入力に応答して該当の効果音データを再生させ、対応付けされたキーシンボル・効果音説明記述に該当する効果音キーＩＤ・効果音ＩＤを登録指示の操作入力に応答してキーアサインテーブルに登録し、
出力モード処理は、受信した効果音キーＩＤに該当する効果音ＩＤをキーアサインテーブルから抽出し、当該効果音ＩＤに該当する効果音データを再生させる
カラオケ装置。
【請求項２】
記憶手段と、効果音再生手段と、リモコン送信器と、操作パネルと、制御手段と、受信手段と、メモリと、表示手段と、スピーカーを備え、カラオケ伴奏音楽と歌詞字幕をスピーカーと表示手段より同期出力するカラオケ装置であって、
記憶手段は、効果音データベースと、効果音索引と、キーアサインテーブルと、効果音キーシンボル情報を記憶し、
効果音データベースは、多数の効果音データにそれぞれ効果音ＩＤを対応付けて格納し、
効果音索引は、効果音ＩＤと効果音説明記述を対応付けし、
キーアサインテーブルは、少数の効果音キーＩＤのそれぞれに効果音ＩＤを対応付けし、
効果音キーシンボル情報は、各効果音キーＩＤにキーシンボル情報を対応付けし、
効果音再生手段は、制御手段の制御に従い、効果音データを再生してスピーカーから効果音を発生させ、
リモコン受信器は、各効果音キーＩＤにそれぞれ対応付けされたキーシンボルの付いた少数の効果音キーを含み、効果音キーが操作された際に該当する効果音キーＩＤを含むリモコン信号を送信し、
操作パネルは、利用者による操作入力を受け付け可能とし、
制御手段は、電源投入時に初期化処理を、キーアサイン指示の操作入力を受け付けた際に登録モード処理を、効果音キーＩＤを含むリモコン信号を受信手段が受信した際に出力モード処理を行い、
初期化処理は、キーアサインテーブルに登録された効果音キーＩＤ・効果音ＩＤに基づいて、該当する効果音データを記憶手段から読み出して当該効果音キーＩＤと対応付けしてメモリに書き込み、
登録モード処理は、効果音索引・キーアサインテーブル・効果音キーシンボル情報に基づいて、各キーシンボルと各効果音説明記述を表示手段に表示させ、１つの効果音キーに対応付けする１つの効果音説明記述を選択させる操作入力を受け付け、効果音説明記述を特定する操作入力に応答して該当の効果音データを再生させ、対応付けされたキーシンボル・効果音説明記述に該当する効果音キーＩＤ・効果音ＩＤを登録指示の操作入力に応答してキーアサインテーブルに登録し、
出力モード処理は、受信した効果音キーＩＤに該当する効果音データをメモリから読み出して再生させる
カラオケ装置。
【発明の詳細な説明】
【０００１】
【発明の属する技術分野】
この発明は、カラオケ宴会の雰囲気を盛り上げるための余興的な効果音（歓声や拍手、ファンファーレ、鐘の音など）を発生する機能を備えたカラオケ装置に関し、とくに、利用者がリモコン送信器を操作して任意の効果音を任意のタイミングで発生させる仕組みのカラオケ装置に関する。
【０００２】
【従来の技術】
例えば特開平６−８３３７７号公報に開示されているように、つぎのような効果音出力機能の付いたカラオケ装置が知られている。各種の効果音はＡＤＰＣＭ方式などでディジタルデータ化されて装置内のメモリに格納されており、指定された効果音データを読み出してアナログのオーディオ信号に変換してスピーカーから出力する。カラオケ演奏中にリモコン送信器のキーを操作することで、任意の効果音を任意のタイミングで発音させる。
【０００３】
例えば歌の合間のときに操作者が歌い手に「声援」を送りたいときには、リモコン送信器の「声援」キーを押す。このときのリモコン送信器からの信号を受けてカラオケ装置では、指定された「声援」に該当する効果音データを再生してスピーカーから発生させる。
【０００４】
【発明が解決しようとする課題】
前述の特開平６−８３３７７号公報の装置では、リモコン送信器は効果音コントロール用のものであり（採点器のコントロールも兼ねてはいる）、その操作パネル面に効果音を指定する複数の専用キーがあり、「声援」キーを押せば「声援」の効果音が出力され、「拍手」キーを押せば「拍手」の効果音が出力され、同様に「ファンファーレ」キー、「鐘」キー、「パーカッション」キー、「鳥の声」キーを押せば、それぞれ該当の効果音が出力される。
【０００５】
このように効果音ごとの専用のキーで発音タイミングを指定するのは非常に分りやすく、簡単に操作でき、効果音の発生タイミングを失することも少ない。しかし、発生可能な効果音の種類が多くて例えば２０種類以上にもなる場合、リモコン送信器のキー数を多くしなければならず、リモコンが大型化するという問題がある。また、通信カラオケシステムのカラオケデータの配信と同様に、カラオケ装置の記憶部に新たに制作した効果音データを追加したり変更したりするサービスを考えた場合、リモコン送信器の各キーと効果音とを１対１に対応づけしたシステム構成では対応できなくなる。
【０００６】
ふつうのカラオケ装置には、演奏させたい楽曲番号を入力するための選曲予約用のリモコン送信器が付随している。これにはテンキーがあるので、これを効果音の選定用に兼用するシステム構成も容易に考えられる。つまり、多数の効果音に識別番号を付けておき、テンキーでその番号を入力することで、該当の効果音を鳴らすように構成する。もちろんこの場合は、選曲モードと効果音モードとを切り替える操作が必要になる。そのため操作が煩雑になり、選曲するつもりで操作したら意図しない効果音が鳴ったりするような誤操作が起きやすいし、ねらったタイミングで効果音を適切に鳴らすことが難しくなる。
【０００７】
この発明は前述した従来の問題点に鑑みなされたもので、その目的は、効果音専用のキー操作でタイミングを失することなく効果音を鳴らすことができ、かつ、多数の種類の効果音の中から希望の音を選定する機能もあり、効果音データの追加や変更サービスにも適合できるようにすることにある。
【０００８】
【課題を解決するための手段】
第１発明に係るカラオケ装置は、分説すると、つぎの事項（１）〜（12）により特定されるものである。
（１）記憶手段と、効果音再生手段と、リモコン送信器と、操作パネルと、制御手段と、受信手段と、表示手段と、スピーカーを備え、カラオケ伴奏音楽と歌詞字幕をスピーカーと表示手段より同期出力するカラオケ装置であること
（２）記憶手段は、効果音データベースと、効果音索引と、キーアサインテーブルと、効果音キーシンボル情報を記憶すること
（３）効果音データベースは、多数の効果音データにそれぞれ効果音ＩＤを対応付けて格納すること
（４）効果音索引は、効果音ＩＤと効果音説明記述を対応付けすること
（５）キーアサインテーブルは、少数の効果音キーＩＤのそれぞれに効果音ＩＤを対応付けすること
（６）効果音キーシンボル情報は、各効果音キーＩＤにキーシンボル情報を対応付けすること
（７）効果音再生手段は、制御手段の制御に従い、効果音データを再生してスピーカーから効果音を発生させること
（８）リモコン受信器は、各効果音キーＩＤにそれぞれ対応付けされたキーシンボルの付いた少数の効果音キーを含み、効果音キーが操作された際に該当する効果音キーＩＤを含むリモコン信号を送信すること
（９）操作パネルは、利用者による操作入力を受け付け可能とすること
（10）制御手段は、キーアサイン指示の操作入力を受け付けた際に登録モード処理を、効果音キーＩＤを含むリモコン信号を受信手段が受信した際に出力モード処理を行うこと
（11）登録モード処理は、効果音索引・キーアサインテーブル・効果音キーシンボル情報に基づいて、各キーシンボルと各効果音説明記述を表示手段に表示させ、１つの効果音キーに対応付けする１つの効果音説明記述を選択させる操作入力を受け付け、効果音説明記述を特定する操作入力に応答して該当の効果音データを再生させ、対応付けされたキーシンボル・効果音説明記述に該当する効果音キーＩＤ・効果音ＩＤを登録指示の操作入力に応答してキーアサインテーブルに登録すること
（12）出力モード処理は、受信した効果音キーＩＤに該当する効果音ＩＤをキーアサインテーブルから抽出し、当該効果音ＩＤに該当する効果音データを再生させること
【０００９】
第２発明に係るカラオケ装置は、分説すると、つぎの事項（21）〜（33）により特定されるものである。
（21）記憶手段と、効果音再生手段と、リモコン送信器と、操作パネルと、制御手段と、受信手段と、メモリと、表示手段と、スピーカーを備え、カラオケ伴奏音楽と歌詞字幕をスピーカーと表示手段より同期出力するカラオケ装置であること
（22）記憶手段は、効果音データベースと、効果音索引と、キーアサインテーブルと、効果音キーシンボル情報を記憶すること
（23）効果音データベースは、多数の効果音データにそれぞれ効果音ＩＤを対応付けて格納すること
（24）効果音索引は、効果音ＩＤと効果音説明記述を対応付けすること
（25）キーアサインテーブルは、少数の効果音キーＩＤのそれぞれに効果音ＩＤを対応付けすること
（26）効果音キーシンボル情報は、各効果音キーＩＤにキーシンボル情報を対応付けすること
（27）効果音再生手段は、制御手段の制御に従い、効果音データを再生してスピーカーから効果音を発生させること
（28）リモコン受信器は、各効果音キーＩＤにそれぞれ対応付けされたキーシンボルの付いた少数の効果音キーを含み、効果音キーが操作された際に該当する効果音キーＩＤを含むリモコン信号を送信すること
（29）操作パネルは、利用者による操作入力を受け付け可能とすること
（30）制御手段は、電源投入時に初期化処理を、キーアサイン指示の操作入力を受け付けた際に登録モード処理を、効果音キーＩＤを含むリモコン信号を受信手段が受信した際に出力モード処理を行うこと
（31）初期化処理は、キーアサインテーブルに登録された効果音キーＩＤ・効果音ＩＤに基づいて、該当する効果音データを記憶手段から読み出して当該効果音キーＩＤと対応付けしてメモリに書き込むこと
（32）登録モード処理は、効果音索引・キーアサインテーブル・効果音キーシンボル情報に基づいて、各キーシンボルと各効果音説明記述を表示手段に表示させ、１つの効果音キーに対応付けする１つの効果音説明記述を選択させる操作入力を受け付け、効果音説明記述を特定する操作入力に応答して該当の効果音データを再生させ、対応付けされたキーシンボル・効果音説明記述に該当する効果音キーＩＤ・効果音ＩＤを登録指示の操作入力に応答してキーアサインテーブルに登録すること
（33）出力モード処理は、受信した効果音キーＩＤに該当する効果音データをメモリから読み出して再生させること
【００１７】
【発明の実施の形態】
＝＝＝＝基本的な構成と機能＝＝＝＝
図１に示す実施例のカラオケ装置１は、通信カラオケシステムの端末であり、ホスト装置２と通信回線網３で結合されている。カラオケ装置１における中央処理装置４は前述の主制御部の中心的要素であり、ＣＰＵ・ＲＡＭ・ＲＯＭを含んだコンピュータ本体である。中央処理装置４はモデム５を介して通信回線網３に接続される。ホスト装置２からカラオケ装置１に配信されるカラオケデータは、ＭＩＤＩ規格に従ったカラオケ伴奏音楽データと、伴奏との同期情報を含んだ歌詞データなどからなる。ホスト装置２から配信されてきた多数の楽曲のカラオケデータがハードディスク装置６に蓄積される。ＡＤＰＣＭ方式のディジタルデータからなる多数の種類の効果音データがそれぞれ区別されてハードディスク装置６に格納されている。
【００１８】
カラオケ装置１の本体には表示器とキーボードを含むユーザインタフェース用の操作パネル７があり、またリモコン送信器８に対応したリモコン受信部９も備えている。操作パネル７やリモコン受信部９は操作制御部１０を介して中央処理装置４に結合されている。カラオケ利用者は本体の操作パネル７またはリモコン送信器８により選曲などの各種操作入力を行い、その操作内容や操作入力に対する装置の応答情報が操作パネル７に表示される。
【００１９】
楽曲の再生は中央処理装置４の制御のもとでつぎの経路で行われる。指定された楽曲番号の伴奏音楽データと歌詞データをハードディスク装置６から読み出す。ＭＩＤＩ信号からなる伴奏音楽データが順次シンセサイザ１１に入力されて、オーディオ信号に変換され、オーディオアンプ１２を経てスピーカー１３から出力される。このオーディオ出力と同期して、中央処理装置４は歌詞データを順次文字列に変換してビデオＲＡＭ１４に書き込むとともに、歌詞文字列に曲の進行を示す着色を付ける処理を行う。ビデオＲＡＭ１４の内容は表示制御部１５によりディスプレイ１６に表示される。もちろんオーディオアンプ１２はマイク１７の出力とのミキシング機能を有する。
【００２０】
背景映像用などの動画情報はＣＤ−ＲＯＭプレーヤ１８にて再生される。映像制御部１９は中央処理装置４の指令を受けて動作するマイコンからなり、再生すべき映像データの選択処理を行うとともに、選択決定した映像データをＣＤ−ＲＯＭプレーヤ１８で再生し、圧縮されている再生データの復元処理を行って表示制御部１５に転送する。表示制御部１５は、映像制御部１９からの映像信号とビデオＲＡＭ１４の歌詞文字列の画像を合成してディスプレイ１６に表示する。
【００２１】
＝＝＝＝効果音の発生系統＝＝＝＝
また中央処理装置４は、効果音データの種類を特定する情報と発音指令を受けて、該当の効果音データをハードディスク装置６から読み出して効果音再生部２０に転送して、効果音再生部２０を起動する。これにより効果音再生部２０からアナログの効果音信号が出力され、オーディオアンプ１２を経てスピーカー１３から発音される。この効果音の再生処理はカラオケ演奏中にも並行して行われるもので、カラオケ伴奏音楽とマイク１７からの歌唱音と効果音とがスピーカー１３から同時に出力される。
【００２２】
なおこの実施例においては、図６に示すように、１番から３９番までの番号で区別される３９種類の効果音データをハードディスク装置６に格納可能であり、図６の例では実際に３１種類の効果音データが格納されていることを示している。格納されている各効果音データには、それぞれの内容を端的に表わす識別名が付けられており、各効果音データの番号とその識別名の対応関係を表わす図６のような概念の一覧表がハードディスク装置６に作成されている。
【００２３】
＝＝＝＝リモコン送信器８のキー配列とリモコン信号の処理＝＝＝＝
リモコン送信器８の操作パネル面のキーレイアウトの一例を図２に示している。演奏させたい楽曲番号を入力するための「テンキー」、入力データを取り消すときに押す「取消しキー」、入力データを登録するときに押す「メモリ／セットキー」、「スタート歌い直しキー」、「演奏中止キー」、伴奏音楽の音程を変えるための「キーコントロール」のアップダウンキー、伴奏音楽の速度を変えるための「テンポコントロール」のアップダウンキーは、一般的なカラオケ用リモコンとして広く実用化されている技術なので、これにまつわる信号処理については説明しない。
【００２４】
この実施例のリモコン送信器８には、前記の各キーに加えて、３個の効果音キー（○印キー２１、×印キー２２、△印キー２３）が並んで配設されている。これら効果音キーのいずれかを押すと、それぞれ固有のキー情報が赤外線リモコン信号としてリモコン受信部９に伝達され、操作制御部１０を介して中央処理装置４が入力されたキー情報を認知する。
【００２５】
ハードディスク装置６には、図３に示すような概念のキーアサインテーブルが作成されている。このテーブルには、リモコン送信器８から○印キー２１または×印キー２２または△印キー２３のキー情報が入力されたときに、それぞれ何番の効果音データを再生出力するのかという対応関係が記述されている。このキーアサインテーブルの内容は、後述のように利用者によって任意に設定できる。図３に例示したキーアサインテーブルでは、○印キー２１が押されたときには２１番の「歓声と拍手」の効果音を鳴らし、×印キー２２が押されたときには０１番の「爆発音」の効果音を鳴らし、△印キー２３が押されたときには３１番の「歌合戦不合格」の効果音を鳴らすことが設定されている。
【００２６】
例えばカラオケ演奏中において、リモコン送信器８から中央処理装置４に○印キー２１または×印キー２２または△印キー２３のいずれかのキー情報が入力されると、前記キーアサインテーブルを見て何番の効果音を鳴らすのかを判断し、該当の効果音データをハードディスク装置６から読み出して効果音再生部２０に転送する。つまり利用者から見た場合、リモコン送信器８の○印キー２１または×印キー２２または△印キー２３のいずれかを押すと、各キーに対応づけてある効果音がスピーカー１３から鳴るのである。
【００２７】
なお、リモコン送信器８からの効果音の発音指令があった時点で該当のデータをハードディスク装置６から読み出す処理方式に代えて、つぎのような方式も採れる。カラオケ装置１の電源投入時の初期処理として、前記キーアサインテーブルを見て、そこに設定されている３種類の効果音データを読み出して、効果音再生部２０内の高速メモリに事前に書き込んでおく。そして、リモコン送信器８からの効果音の発音指令があったとき、ハードディスク装置６にアクセスするのではなく、効果音再生部２０の事前に転送してある３種類の効果音データのどれを再生出力するのかを指示する。この方式の方がリモコンのキー操作から実際に効果音が鳴り出すまでの応答性を高めることができる。
【００２８】
また、図２の実施例のリモコン送信器８は一般的な選曲コントロール用のリモコンにこの発明による３個の効果音キーを付加したタイプである。これとは別に、効果音コントロール専用のリモコン送信器（複数個の効果音キーがある）を設けておき、これで効果音の選択と再生タイミングの指示を出すようにしても良い。
【００２９】
＝＝＝＝キーアサインテーブルの設定登録＝＝＝＝
カラオケ装置１の本体の操作パネル７を所定の手順で操作し、効果音のリモコン登録メニューを選択すると、中央処理装置４の制御により、ディスプレイ１６に図４に例示する「リモコン登録」モードの画面が表示される。この画面では、○印キー２１と×印キー２２と△印キー２３のどのキーについて設定するのかを聞いてくる。利用者が操作パネル７のテンキーで３つのうちのどれかを選択すると、図５に例示する効果音の選択画面に切り替わる。図５は○印キー２１の登録画面である。この画面では、○印キー２１に対応して「爆発音」の効果音が登録されていることが表示されているとともに、カラオケ装置１に登録されている全種類の効果音データの識別名が４ページに分れて表示される。利用者が操作パネル７のテンキーで効果音一覧の表示の中から任意の１つを指定すると、中央処理装置４は指定された効果音データを再生してスピーカー１３で鳴らす。利用者はこれで効果音を実際に耳で確認し、その効果音で良ければ、操作パネル７のスタートキーを押す。すると中央処理装置４は、そのときテンキーで選択されていた効果音データを○印キー２１に対応づけするように、前記キーアサインテーブルを書き換えて、同時に図５の表示内容も書き換える。同様にして×印キー２２と△印キー２３の登録内容を、実際に効果音を耳で確かめながら自由に変更できる。ここで説明したキーアサインテーブルを変更するための入力操作は、操作パネル７からだけではなく、図２の実施例に示したリモコン送信器８を使っても同様に行える。
【００３０】
【発明の効果】
この発明によれば、リモコン送信器に配設した複数個の効果音専用キーの操作でタイミングを失することなく効果音を鳴らすことができる。効果音専用キーが複数個あるので複数の種類の効果音の中から希望の音を選択的に鳴らすことができる。また、装置には多数の種類の効果音データを格納しておき、その中から利用者が自由に選んだ効果音をキーアサイン情報として登録しておくので、利用者の個別の好みに合せて効果音発生機能をアレンジできるし、効果音データの追加や変更のサービスにも柔軟に適合する。
【図面の簡単な説明】
【図１】この発明の一実施例によるカラオケ装置の概略構成ブロック図である。
【図２】この発明の一実施例によるリモコン送信器のキーレイアウトを示す図である。
【図３】同上実施例におけるキーアサインテーブルの概念図である。
【図４】同上実施例における効果音のリモコン登録モードの表示画面の一例を示す図である。
【図５】同上実施例における特定の効果音キーの登録時の効果音一覧画面の一例を示す図である。
【図６】同上実施例における効果音データの管理テーブルの概念図である。
【符号の説明】
１  カラオケ装置
４  中央処理装置（主制御部）
６  ハードディスク装置
７  本体側操作パネル
８  リモコン送信器
２０  効果音再生部
２１・２２・２３  効果音キー
【図１】
0003957794.tif 000002
【図２】
0003957794.tif 000003
【図３】
0003957794.tif 000004
【図４】
0003957794.tif 000005
【図５】
0003957794.tif 000006
【図６】
0003957794.tif 000007